(57)【要約】  本発明は多重再生パスビデオデータの再生を管理するためのデータ構造を有する記録媒体、データ構造を記録し、再生する方法と装置に関する。記録媒体にはナビゲーション領域と少なくとも一つの再生リスト領域がある。ナビゲーション領域には記録媒体に記録される多重再生パスビデオデータの再生を管理するナビゲーション管理情報が格納される。再生リスト領域には少なくとも一つ以上の再生リストが格納されて、各再生リストは少なくとも一つ以上の再生アイテムを識別して、各再生アイテムは少なくとも一つ以上のビデオデータのクリップを識別する。
2005531190.tif 000002
【特許請求の範囲】
【請求項１】
記録媒体に記録される少なくとも多重再生パスビデオデータの再生を管理するためのデータ構造を有する記録媒体であって、
前記記録媒体に記録される多重再生パスビデオデータの再生を管理するためのナビゲーション管理情報が格納される少なくとも一つのナビゲーション領域と、
各ナビゲーション領域と連係される少なくとも一つの再生リスト領域とを含み、
前記再生リスト領域には各再生パスと連係される再生リストファイルが少なくとも一つ格納され、各再生リストファイルは少なくとも一つの再生アイテムを識別し、各再生アイテムは少なくとも一つの多重再生パスビデオデータのクリップを識別することを特徴とする記録媒体。
【請求項２】
前記再生リスト領域には各再生パスと連係される一つの再生リストファイルが格納されることを特徴とする請求項１記載の記録媒体。
【請求項３】
それぞれ他の再生リストファイルから識別される二つ以上の再生アイテムが同じクリップを識別することを特徴とする請求項２記載の記録媒体。
【請求項４】
各再生リストファイルは他の再生パスと連係されることを特徴とする請求項１記載の記録媒体。
【請求項５】
それぞれ他の再生リストファイルから識別される二つ以上の再生アイテムが同じクリップを識別することを特徴とする請求項４記載の記録媒体。
【請求項６】
一つ以上のクリップが、一つより多い再生パスに共通であるビデオデータを示すことを特徴とする請求項１記載の記録媒体。
【請求項７】
一つ以上のクリップがただ一つの再生パスに対するビデオデータを示すことを特徴とする請求項１記載の記録媒体。
【請求項８】
前記ナビゲーション管理情報は再生パスを識別し、前記識別される再生パスは少なくとも一つの再生リストと連係されることを特徴とする請求項１記載の記録媒体。
【請求項９】
前記多重再生パスビデオデータはビデオデータパケットであることを特徴とする請求項１記載の記録媒体。
【請求項１０】
自身の領域に記録される少なくとも前記ビデオデータパケットを有し、多重化される異なる再生パスに属する前記ビデオデータパケットの少なくとも一部を有するデータ領域をさらに含むことを特徴とする請求項９記載の記録媒体。
【請求項１１】
前記ナビゲーション管理情報は各再生パスに対して一つの再生リストを識別することを特徴とする請求項１記載の記録媒体。
【請求項１２】
前記多重再生パスにはタイトルの他の言語バージョンに対する再生パスが含まれることを特徴とする請求項１記載の記録媒体。
【請求項１３】
少なくとも多重再生パスビデオデータの再生を管理するためのデータ構造を記録媒体に記録する方法であって、
前記記録媒体の少なくとも一つのナビゲーション領域に、前記多重再生パスビデオデータの再生を管理するためのナビゲーション管理情報を記録し、
前記ナビゲーション領域と連係される少なくとも一つの再生リスト領域に、各再生パスと連係される再生リストファイルを一つ以上記録し、
各再生リストファイルは少なくとも一つの再生アイテムを識別し、各再生アイテムは少なくとも一つの多重再生パスビデオデータのクリップを識別することを特徴とする方法。
【請求項１４】
記録媒体に記録された少なくとも多重再生パスビデオデータの再生を管理するためのデータ構造を再生する方法であって、
前記多重再生パスビデオデータの再生を管理するためのナビゲーション管理情報を前記記録媒体の少なくとも一つのナビゲーション領域から再生し、
各再生パスと連係される一つ以上の再生リストファイルを前記ナビゲーション領域と連係される少なくとも一つの再生リスト領域から再生し、
各再生リストファイルは少なくとも一つの再生アイテムを識別し、各再生アイテムは少なくとも一つの多重再生パスビデオデータのクリップを識別することを特徴とする方法。
【請求項１５】
少なくとも多重再生パスビデオデータの再生を管理するためのデータ構造を記録媒体に記録する装置であって、
前記記録媒体にデータを記録する光記録手段を駆動するドライブと、
少なくとも多重再生パスビデオデータをエンコーディングするためのエンコーダと、
前記エンコーディングされた多重再生パスビデオデータを前記記録媒体に記録するように前記ドライブを制御するコントローラとを含み、
前記コントローラは、前記記録媒体の少なくとも一つのナビゲーション領域に前記多重再生パスビデオデータの再生を管理するためのナビゲーション管理情報を記録し、かつ前記ナビゲーション領域と連係される少なくとも一つの再生リスト領域に各再生パスと連係される再生リストファイルを少なくとも一つ記録するように、前記ドライブを制御し、
各再生リストファイルは少なくとも一つの再生アイテムを識別し、各再生アイテムは少なくとも一つの多重再生パスビデオデータのクリップを識別することを特徴とする装置。
【請求項１６】
記録媒体に記録された少なくとも多重再生パスビデオデータの再生を管理するためのデータ構造を再生する装置であって、
記録媒体に記録されたデータを再生する光再生手段を駆動するドライブと、
前記多重再生パスビデオデータの再生を管理するためのナビゲーション管理情報を前記記録媒体の少なくとも一つのナビゲーション領域から再生し、各再生パスと連係される少なくとも一つの再生リストファイルを前記ナビゲーション領域と連係される一つ以上の再生リスト領域から再生するように、前記ドライブを制御するコントローラとを含み、
各再生リストファイルは少なくとも一つの再生アイテムを識別し、各再生アイテムは少なくとも一つの多重再生パスビデオデータのクリップを識別することを特徴とする装置。
【発明の詳細な説明】
【技術分野】
【０００１】
本発明は多重再生パスビデオデータの再生を管理するためのデータ構造を有する記録媒体、多重再生パス経路ビデオデータを再生して記録するための装置及び方法に関する。
【背景技術】
【０００２】
最近には、高画質のビデオデータと高音質のオーディオデータを高容量記録できる新しい高密度再生専用または再記録可能光ディスクに対する規格化作業が急速に展開されて、再記録可能ブルーレイディスク（ＢＤ−ＲＥ）のような新しい光ディスクと関連した製品がまもなく商用化されることが期待されている。
【０００３】
図１は、再記録可能ブルーレイディスク（ＢＤ−ＲＥ）のファイル構造を示したものである。このファイル構造またはデータ構造はＢＤ−ＲＥに記録されるビデオオーディオデータの再生を管理するために用いられる。図１に示したように、データ構造は少なくとも一つの「ＢＤＡＶ」ディレクトリを有するルートディレクトリを含む。「ＢＤＡＶ」ディレクトリには「ｉｎｆｏ．ｂｄａｖ」、「ｍｅｎｕ．ｔｉｄｘ」、「ｍａｒｋ．ｔｉｄｘ」、「＊．ｒｐｌｓ」、「＊．ｖｐｌｓ」のような再生リストファイルが格納されるＰＬＡＹＬＩＳＴサブディレクトリ、「＊．ｃｌｐｉ」のようなクリップ情報ファイルが格納されるＣＬＩＰＩＮＦサブディレクトリ、クリップ情報ファイルに対応するＭＰＥＧ−２フォーマットのＡ／Ｖストリームクリップファイルが格納されるＳＴＲＥＡＭサブディレクトリが含まれる。図１は、ディスクのデータ構造だけでなくディスクの領域をも示している。例えば、「ｉｎｆｏ．ｂｄａｖ」のような一般情報ファイルはディスクの一般情報領域に格納される。
【０００４】
図１に示したＢＤ−ＲＥのデータ構造とディスクフォーマットは広く知られて容易に利用できるので、以後ファイル構造に対しては簡単に説明する。
【０００５】
前述したように、ＳＴＲＥＡＭディレクトリにはクリップと呼ばれるＭＰＥＧ−２フォーマットのＡ／Ｖストリームファイルが含まれ、またブリッジ−クリップＡ／Ｖストリームファイル（Ｂｒｉｄｇｅ−ｃｌｉｐ  Ａ／Ｖ  ｓｔｒｅａｍ  ｆｉｌｅ）という特別な形態のクリップも含まれることがある。ブリッジ−クリップはクリップのうちから選択された二つ以上の再生区間をシームレスにに連結するために使われもので、一般にクリップに比べてサイズが小さい。Ａ／Ｖストリームにはビデオオーディオデータに対するソースパケットが含まれる。例えば、ビデオオーディオデータのソースパケットにはヘッダーと伝送パケットが含まれる。一つのソースパケットには自身に接近するためのアドレスの役割を果たすソースパケット番号（ＳＰＮ）が含まれる。そのソースパケット番号は一般に順番に番号が割り当てられる。伝送パケットには一つのパケットＩＤ（ＰＩＤ）が含まれる。ＰＩＤは伝送パケットが属する一連の伝送パケットを識別する。一連の伝送パケットにある各伝送パケットはＰＩＤが同じである。以後、前記一連の伝送パケットを伝送パケットシーケンスという。
【０００６】
ＣＬＩＰＩＮＦディレクトリには各Ａ／Ｖストリームファイルに連係するクリップ情報ファイルが含まれる。クリップ情報ファイルは連係するＡ／Ｖストリームの類型、シーケンス情報、プログラム情報、タイミング情報を指示する。シーケンス情報は到着時間基準（ＡＴＣ）シーケンスとシステム時間基準（ＳＴＣ）シーケンスを記述する。例えば、シーケンス情報はシーケンスの数、各シーケンスの開始と終わり時間情報、各シーケンスで一番目のソースパケットのアドレス、そして各シーケンスにある伝送パケットのＰＩＤを記述する。プログラムのコンテンツが続く伝送パケットシーケンスはプログラムシーケンスと呼ばれる。プログラム情報はプログラムシーケンスの個数、各プログラムシーケンスの開始アドレス、プログラムシーケンスにある伝送パケットのＰＩＤを指示する。
【０００７】
タイミング情報は特徴ポイント情報（ＣＰＩ）と呼ばれる。ＣＰＩの一形態がエントリーポイントマップ（（ＥＰ）Ｍａｐ）である。ＥＰマップは、例えば、到着時間ＡＴＣ及び／またはシステム時間ＳＴＣを基準にして、ソースパケットのアドレス（例えば、ソースパケットの番号）に対するタイムスタンプ（Ｔｉｍｅ  Ｓｔａｍｐ）を指示する。
【０００８】
ＰＬＡＹＬＩＳＴディレクトリには一つ以上の再生リストファイルがある。再生リストは再生のためのクリップを容易に編集したり組み合わせるために導入された概念である。再生リストファイルはクリップにある再生区間の集合であって、各再生区間は再生アイテム（Ｐｌａｙｉｔｅｍ）と呼ばれる。前記再生リストファイルは再生リストを形成する各再生アイテムを識別する。各再生アイテムは、クリップの時間軸上の位置（例えば、ＡＴＣまたはＳＴＣ基準でプレゼンテーションタイムスタンプ（ＰＴＳ）を示すＩＮ−ｐｏｉｎｔとＯＵＴ−ｐｏｉｎｔの対である。換言すれば、再生リストファイルは再生アイテムを識別し、各再生アイテムは一つのクリップまたはその一部を指し、かつクリップと連係するクリップ情報ファイルを識別する。クリップ情報ファイルは再生アイテムをソースパケットのクリップに連結（Ｍａｐ）するために使用される。
【０００９】
ＰＬＡＹＬＩＳＴディレクトリには実再生リスト（＊．ｒｐｌｓ）と仮想再生リスト（＊．ｖｐｌｓ）が含まれる。実再生リストはクリップだけを用い、ブリッジ−クリップは用いることができない。すなわち、実再生リストはクリップの一部を参照することと見なされるので、概念的にディスク上でクリップの一部を参照することと同等なことと見なされる。仮想再生リストはクリップとブリッジ−クリップをすべて用いることができるので、実再生リストの概念は仮想再生リストと並存しない。
【００１０】
「ｉｎｆｏ．ｂｄａｖ」ファイルは光ディスクに記録されるＡ／Ｖストリームの再生を管理する一般的な情報を提供する一般情報ファイルである。さらに詳細には同じＢＤＡＶディレクトリのＰＬＡＹＬＩＳＴディレクトリにある再生リストのファイル名を識別する再生リスト目録を含む。
【００１１】
「ｍｅｎｕ．ｔｉｄｘ」、「ｍｅｎｕ．ｔｄｔ１」、「ｍｅｎｕ．ｔｄｔ２」ファイルはメニューサムネイルと関連した情報を格納る。「ｍａｒｋ．ｔｉｄｘ」、「ｍａｒｋ．ｔｄｔ１」、「ｍａｒｋ．ｔｄｔ２」ファイルはマークサムネイルと関連した情報を格納する。このようなファイルは本発明と直接的な関連がないので、これ以上詳細な説明は省略する。
【発明の開示】
【発明が解決しようとする課題】
【００１２】
最近ではブルーレイロム（ＢＤ−ＲＯＭ）のような高密度再生専用光ディスクに対する規格化作業が進行中である。しかし、ＢＤ−ＲＯＭのような高密度再生専用光ディスクに記録されるビデオオーディオデータの再生を管理するデータ構造に対する効率的な解決方案がまだ用意されていない。
【００１３】
したがって、本発明は前記のような実情を勘案して創作されたものであって、本発明の目的は、多重再生パスをベースにしてビデオデータの再生を管理できるようにするファイルまたはデータ構造を有する記録媒体を提供するとともに、そのようなデータ構造を記録して再生する装置と方法を提供することである。
【課題を解決するための手段】
【００１４】
本発明による記録媒体には記録媒体から少なくともビデオデータの再生を管理するナビゲーション制御情報が格納されるナビゲーション領域が含まれる。
【００１５】
本発明の実施態様によれば、ナビゲーション領域は、属性フィールド、ナビゲーションアイテム個数フィールド、少なくとも一つのナビゲーションアイテムを含むナビゲーション制御オブジェクトが少なくとも一つ格納している。本発明による一実施態様によれば、属性フィールドはナビゲーション制御オブジェクトの類型を指示し、ナビゲーションアイテム個数フィールドはナビゲーション制御オブジェクトにあるナビゲーションアイテムの個数を指示し、各ナビゲーションアイテムはナビゲーション制御情報を提供する。
【００１６】
本発明の一実施態様においては、ナビゲーション制御情報が再生する再生リストを少なくとも一つを指示する。本発明の他の実施態様では、ナビゲーション制御オブジェクトはビデオデータのタイトル一つと連係される。また他の実施態様では、一つ以上の再生リストが記録媒体の再生リスト領域に格納されており、各再生リストは一つ以上の再生アイテムを識別し、各再生アイテムはビデオデータのクリップを少なくとも一つを識別する。
【００１７】
本発明の他の実施態様においては、ナビゲーション領域には少なくとも一つのナビゲーション制御客体が貯蔵されるが、ナビゲーション制御オブジェクトはナビゲーション制御オブジェクトの属性を一つ以上を示す属性フィールドと、ナビゲーション方向の個数を示すナビゲーション方向個数フィールドを含む。また、各ナビゲーション制御オブジェクトには一つ以上のナビゲーション方向が含まれる。
【００１８】
本発明の他の実施態様においては、ナビゲーション方向は再生する再生リストを指示する。本発明の他の実施形態では、ナビゲーション制御オブジェクトはビデオデータのタイトル一つと連係される。さらに他の実施態様では、少なくとも一つの再生リストが記録媒体の再生リスト領域に格納され、各再生リストは少なくとも一つの再生アイテムを識別し、各再生アイテムはビデオデータのクリップを少なくとも一つ識別する。
【発明を実施するための最良の形態】
【００１９】
以下、本発明に対する望ましい実施形態に対して、添付した図面を参照しながら詳細に説明する。
【００２０】
本発明による高密度光ディスク、例えばＢＤ−ＲＯＭは、図２に示したように、ビデオオーディオデータの再生を管理するファイルまたはデータ構造を有する。図２のような本発明によるデータ構造は様々な面で図１に図示したＢＤ−ＲＥのデータ構造と同様である。したがって、同じ部分は詳細な説明を省略する。
【００２１】
図２に示したように、ルートディレクトリには少なくとも一つのＤＶＰディレクトリがある。ＤＶＰディレクトリには一般情報ファイル（ｉｎｆｏ．ｄｖｐ）、メニューファイル（ｍｅｎｕ．ｔｉｄｘ、ｍｅｎｕ．ｔｄｔ１等）、実再生リストファイル（＊．ｒｐｌｓ）と仮想再生リストファイル（＊．ｖｐｌｓ）が格納されるＰＬＡＹＬＩＳＴディレクトリ、クリップ情報ファイル（＊．ｃｌｐｉ）が格納されるＣＬＩＰＩＮＦディレクトリ、クリップ情報ファイルに対応するＭＰＥＧ−２フォーマットのＡ／Ｖストリームクリップファイル（＊．ｍ２ｔｓ）が格納されるＳＴＲＥＡＭディレクトリが含まれる。
【００２２】
ＳＴＲＥＡＭディレクトリにはクリップと呼ばれるＭＰＥＧ−２フォーマットのＡ／Ｖストリームクリップファイルが含まれており、また、ブリッジ−クリップＡ／Ｖストリームファイルと呼ばれる特別な形態のクリップも含まれる。ブリッジ−クリップはクリップのうちから選択された二つ以上の再生区間をシームレスに連結するために使用されるもので、、一般にクリップに比べてサイズが小さい。Ａ／Ｖストリームにはビデオオーディオデータのソースパケットが含まれる。例えば、ビデオオーディオデータのソースパケットにはヘッダーと伝送パケットが含まれる。一つのソースパケットには自身にアクセスするためのアドレス役割を果たすソースパケット番号ＳＰＮが含まれる。そのソースパケット番号は通常順番に番号が割り当てられる。伝送パケットには一つのパケットＩＤ  ＰＩＤが含まれる。そのＰＩＤは伝送パケットが属する伝送パケットシーケンスを識別する。、伝送パケットシーケンスにある各伝送パケットはＰＩＤが同じである。
【００２３】
ＣＬＩＰＩＮＦディレクトリには各Ａ／Ｖストリームファイルに連係するクリップ情報ファイルが含まれる。クリップ情報ファイルは連係するＡ／Ｖストリームの類型、シーケンス情報、プログラム情報、タイミング情報を示す。シーケンス情報は到着時間基準ＡＴＣシーケンスとシステム時間基準ＳＴＣシーケンスを記述する。例えば、シーケンス情報はシーケンスの数、各シーケンスの開始と終わり時間情報、各シーケンスにおける一番目のソースパケットのアドレス、そして各シーケンスにある伝送パケットのＰＩＤを示す。プログラムのコンテンツが続く伝送パケットシーケンスはプログラムシーケンスと呼ばれる。プログラム情報はプログラムシーケンスの個数、各プログラムシーケンスの開始アドレス、プログラムシーケンスにある伝送パケットのＰＩＤを示す。
【００２４】
タイミング情報は特徴ポイント情報（ＣＰＩ）と呼ばれる。ＣＰＩの一形態がＥＰマップである。ＥＰマップは、例えば、到着時間ＡＴＣ及び／またはシステム時間ＳＴＣを基準にして、ソースパケットのアドレス（例えば、ソースパケットの番号）に対するタイムスタンプを表示する。
【００２５】
ＰＬＡＹＬＩＳＴディレクトリには一つ以上の再生リストファイルがある。再生リストは再生のためのクリップを容易に編集したり組み合わせるために導入された概念である。再生リストファイルはクリップにある再生区間の集合であって、各再生区間は再生アイテム（Ｐｌａｙｉｔｅｍ）と呼ばれる。再生リストファイルは再生リストを形成する各再生アイテムを識別する。各再生アイテムはクリップの時間軸上の位置（例えば、ＡＴＣまたはＳＴＣ基準でプレゼンテーションタイムスタンプ）を示すＩＮ−ｐｏｉｎｔとＯＵＴ−ｐｏｉｎｔの対である。換言すれば、再生リストファイルは再生アイテムを識別し、各再生アイテムは一つのクリップまたはその一部を指示してクリップと連係するクリップ情報ファイルを識別する。クリップ情報ファイルは再生アイテムをソースパケットのクリップに連結するために使用される。
【００２６】
ＰＬＡＹＬＩＳＴディレクトリには実再生リスト（＊．ｒｐｌｓ）と仮想再生リスト（＊．ｖｐｌｓ）が含まれる。実再生リストはクリップだけを用いてブリッジ−クリップは用いることができない。すなわち、実再生リストはクリップの一部を参照することと見なされるので、概念的にディスク上でクリップの一部を参照することと同じことと見なされる。仮想再生リストはクリップとブリッジ−クリップをすべて用いることができるので、実再生リストの概念は仮想再生リストと並存しない。
【００２７】
「ｉｎｆｏ．ｄｖｐ」ファイルは光ディスクに記録されるＡ／Ｖストリームの再生を管理する一般的な情報を提供する一般情報ファイルである。より詳細にはＰＬＡＹＬＩＳＴディレクトリにある再生リストのファイル名を識別する再生リスト目録を含む。「ｉｎｆｏ．ｄｖｐ」ファイルについては本発明の実施形態と関連して次にさらに詳細に説明する。
【００２８】
図２では、本発明の実施形態によって記録媒体のデータ構造を示しているだけでなく、記録媒体の領域をも示している。例えば、一般情報ファイルは一つ以上の一般情報領域に記録され、再生リストディレクトリは一つ以上の再生リストディレクトリ領域に記録され、再生リストディレクトリ内の各再生リストは記録媒体の一つ以上の再生リスト領域に記録される。図２のデータ構造を有する記録媒体を例示している図３に示したように、記録媒体にはファイルシステム情報領域、データベース領域、Ａ／Ｖストリーム領域が含まれる。データベース領域には一般情報ファイルと再生リスト情報が記録される領域と、クリップ情報領域が含まれる。一般情報ファイルと再生リスト情報が記録される領域には、一般情報ファイル領域の一般情報ファイルと、再生リスト情報領域のＰＬＡＹＬＩＳＴディレクトリと再生リストファイルが記録される。クリップ情報領域には、ＣＬＩＰＩＮＦディレクトリと、関連クリップ情報ファイルが記録される。Ａ／Ｖストリーム領域には様々なタイトルのＡ／Ｖストリームが記録される。
【００２９】
ビデオオーディオデータは一般に個別タイトルとして編成されている。例えば、ビデオオーディオデータにより表現される異なる映画は異なるタイトルで編成される。また、タイトルは、本がチャプターとして編成されているように様々なチャプターとして編成できる。
【００３０】
ＢＤ−ＲＯＭのような新しい高密度記録媒体の記録容量が非常に大きいため、異なるタイトル、様々なバージョンのタイトルや一タイトルの一部を記録して再生することができる。例えば、異なるカメラ角度のビデオデータを記録媒体に記録したり、他の実施形態では、タイトルに対する様々なバージョンまたは異なる言語と関連した一部をも記録媒体に記録することができ、さらに他の実施形態では、タイトルに対する監督バージョンまたは映画館用バージョンも記録媒体に記録することができる。または、一タイトルの成人バージョン、青年バージョン、そして父母が制限できる少年バージョンなどを記録媒体に記録することができる。各バージョンは異なる再生パスを有する。このような場合のビデオデータは多重再生パスビデオデータと呼ばれる。多重パスビデオデータに対する前記例に限らず、本発明は多重再生パスビデオデータのある類型またはこれらの組合せに対しても適用が可能である。後の実施形態で詳細に説明するが、本発明のデータ構造には、記録媒体に記録される多重再生パスビデオデータの再生を管理するためのパス管理情報及び／またはナビゲーション情報が含まれる。
【００３１】
ＢＤ−ＲＯＭのような記録媒体の物理的データ記録領域にタイトルとして記録される、例えば、マルチストーリー、両親制限水準、複数角度データストリームのような多重再生パスデータストリームを複数のクリップファイルで管理することができる。例えば、図４Ａのクリップファイル１ないし３は一つのタイトルに対応し、クリップファイルに記録されるＡ／ＶストリームはＭＰＥＧ−２フォーマットの伝送パケットＴＰの形態を有する。
【００３２】
多重パスデータストリームのＴＰは、パスを識別するためにパス（例えば、異なるカメラアングル）それぞれに固有なパケットＩＤ  ＰＩＤを含む。パス１に該当するクリップファイル１のＴＰ（ＴＰ１）には「Ｖｉｄｅｏ_ＰＩＤ＝Ａ」と「Ａｕｄｉｏ_ＰＩＤ＝Ｐ」情報が含まれ、パス２に該当するクリップファイル２のＴＰ（ＴＰ２）には「Ｖｉｄｅｏ_ＰＩＤ＝Ｂ」と「Ａｕｄｉｏ_ＰＩＤ＝Ｒ」情報が含まれ、同様にパス３に該当するクリップファイル３のＴＰ（ＴＰ３）には「Ｖｉｄｅｏ_ＰＩＤ＝Ｃ」と「Ａｕｄｉｏ_ＰＩＤ＝Ｓ」情報が含まれる。
【００３３】
パス１、２、３にそれぞれ該当するクリップファイル１、２、３のＴＰは、例えば、ＢＤ−ＲＯＭのような記録媒体の物理的データ記録領域内にあるＡ／Ｖストリーム領域にインタリーブされた状態で記録される。多重再生パスに対するＴＰは、ＰＩＤをベースにしてインタリーブされたインタリーブブロックになるが、各インタリーブブロックは少なくとも一つのＩ−Ｐｉｃｔｕｒｅが含まれる。そして、各インタリーブブロックの一番目の伝送パケットＴＰはＩ−Ｐｉｃｔｕｒｅが始まる伝送パケットＴＰである。
【００３４】
クリップファイル１、２、３にそれぞれ該当するクリップ情報ファイル１、２、３には各再生パスのＴＰに選択的にアクセスするためのサーチ情報が含まれる。例えば、図４Ａに示したように、各クリップ情報ファイルには一つまたはそれ以上のエントリーポイントマップ（（ＥＰ）Ｍａｐ）が含まれる。ＥＰマップは連係するクリップファイルにあるＴＰのソースパケット番号（ＳＰＮｓ）を連結するプレゼンテーションタイムスタンプ（ＰＴＳ）を含む。一実施形態においては、多重再生パスデータストリームに含まれるパスの数とＥＰマップとの間に一対一関係がある。図４Ａの実施形態において、クリップファイル１、２、３にそれぞれ該当するＥＰマップ１、２、３は生成されて、対応するクリップ情報ファイル１、２、３に記録される。
【００３５】
図４Ｂは、異なるクリップファイルのＥＰマップ間に存在する時間整列を示している。ＥＰマップは再生アイテムで指摘されるたのと同じプレゼンテーションタイムスタンプをソースパケットに連結する。さらに詳細には、プレゼンテーションタイムスタンプはソースパケットのアドレスまたは識別子に連結される。そのアドレスまたは識別子はソースパケット番号ＳＰＮである。図４Ｂにはクリップファイル１、２、３それぞれに対してプレゼンテーションタイムスタンプ軸に沿ってソースパケット番号とともにソースパケットを示している。図示したように、ＥＰマップ１、２、３それぞれのソースパケットは同じプレゼンテーションタイムスタンプを有する。例えば、クリップファイル１からのソースパケットｘ１、クリップファイル２からのソースパケットｙ１、クリップファイル３からのソースパケットｚ１が同じプレゼンテーションタイムスタンプＴ１を有する。すなわち、ＥＰ  ｍａｐ１、２、３は時間整列されている。このような時間整列のため、再生する期間再生パスが変わってもビデオデータに対してシームレスな再生が可能になる。図４では二との同心円で再生パスの変化を示している。図示したように、ユーザーがソースパケットｙ２の再生途中でクリップファイル２からクリップファイル１に再生パスを変えると、ソースパケットｙ２の再生を終えた後ソースパケットｘ３が次に再生するソースパケットになる。同様に、もしもユーザーがソースパケットｘ４の再生途中でクリップファイル１からクリップファイル３へ再生パス（例えば、カメラアングル）を変えると、ソースパケットｘ４の再生を終えた後ソースパケットｚ５が再生される。本実施形態でソースパケット番号は単に例示であり、一般に一つのクリップファイルのソースパケットは他のクリップファイルにおいて時間整列させられたソースパケットのソースパケット番号と同じではない。
【００３６】
図５では本発明の実施形態による一般情報ファイル（ｉｎｆｏ．ｄｖｐ）の一部を例示している。一般情報ファイルには「ＴａｂｌｅＯｆＰｌａｙｌｉｓｔｓ」という情報フィールドがある。再生リスト目録（ＴａｂｌｅＯｆＰｌａｙｌｉｓｔｓ）には情報フィールドの長さとＰＬＡＹＬＩＳＴディレクトリにある再生リストの数が記録される。また、各再生リストの再生リスト目録には再生リストのファイル名（ＰｌａｙＬｉｓｔ_ｆｉｌｅ_ｎａｍｅ）とパス番号（Ｐａｔｈ  ｎｕｍｂｅｒ）が記録される。パス番号は連係する再生リストが属するパスを指示することによって経路管理情報を提供する。図４Ａと図４Ｂの実施形態において、一つのクリップが各パスに対応する。したがって、各再生リストファイルには一つの再生アイテムが含まれ、再生アイテムは再生リストファイルのようなパスに連係する一つのクリップを指摘する。しかし、本発明はそれに限らない。
【００３７】
本発明の他の実施形態では、再生リスト目録にパス管理情報を含まない。その実施形態では、図６に示したように、パス管理情報が再生リストファイルとして提供される。各再生リストファイルにはファイルの長さ、再生リストを形成する再生アイテムの個数（ｎｕｍｂｅｒ_ｏｆ_Ｐｌａｙｉｔｅｍｓ）が記録される。各再生アイテムの再生アイテム情報フィールドが再生リストファイルに提供される。各再生アイテムは再生アイテムの番号で識別される。図６に示したように、再生アイテム情報フィールドにはフィールドの長さとパス番号（Ｐａｔｈ_ｎｕｍｂｅｒ）が含まれる。パス番号は連係する再生アイテムが属するパスを指示することによってパス管理情報を提供する。
【００３８】
図７は、本発明による光ディスク記録及び再生装置の構成を示したものである。Ａ／Ｖエンコーダ９は、オーディオビデオデータの入力を受けてエンコーディングして、コーディング情報とストリーム特性情報と共にマルチプレクサ８に出力する。マルチプレクサ８は、例えば、ＭＰＥＧ−２伝送ストリームを作るために、入力されたコーディング情報とストリーム特性情報を基にしてエンコーディングされたオーディオビデオデータを多重化する。ソース・パケッタイザ７はマルチプレクサから入力される伝送パケットを光ディスクのオーディオビデオフォーマットに合ったソースパケットにパケット化する。図７に示したように、Ａ／Ｖエンコーダ９、マルチプレクサ８、ソース・パケッタイザ７の動作はコントローラ１０により操作される。コントローラ１０は、ユーザーから記録命令を受信すると、Ａ／Ｖエンコーダ９、マルチプレクサ８、ソース・パケッタイザ７に制御情報を送る。例えば、コントローラ１０は、Ａ／Ｖエンコーダ９に実行するエンコーディング類型を指示し、マルチプレクサ８に作りだす伝送ストリームを指示し、ソース・パケッタイザ７にソースパケットのフォーマットを指示する。また、コントローラ１０は光ディスクにソース・パケッタイザ７の出力を記録するようにドライブ３を制御する。
【００３９】
また、コントローラ１０は光ディスクに記録されているオーディオビデオデータの再生を管理するためのナビゲーション管理情報を作りだす。例えば、ユーザーとのインターフェース（ディスクに格納されているか、あるいはイントラネットまたはインターネットを介して提供する命令語）を介して受けた情報を基にして、コントローラ１０は光ディスクに図２、図４、図５または図６のデータ構造を記録するようにドライブ３を制御する。
【００４０】
再生する期間には、コントローラ１０はデータ構造を再生するようにドライブ３を制御する。すなわち、ディスクに含まれた情報とユーザーインターフェース（記録及び再生装置の操作ボタンまたはそれらの装置と関連した遠隔操作）を介して受けたユーザー入力を基にして、コントローラ１０は光ディスクからオーディオビデオソースパケットを再生するようにドライブ３を制御する。例えば、ユーザー入力は再生する経路を指定できる。このようなユーザー入力は、例えば、コントローラ１０にあらかじめプログラムされたＧＵＩベースのメニューを介して、指定される。ユーザー入力と光ディスクから読み出されるパス管理情報を利用して、コントローラ１０は指定されたパスの再生を制御する。
【００４１】
例えば、特定のパスを選択するためには、コントローラ１０は再生パスの個数を確認するために各再生アイテムに対するパス番号を調査して、ユーザーが再生するパスを選択できるようにする。パス管理情報には再生する再生パスと関連した意味ある情報が含まれている。再生されるときに、再生作動を行うために、選択されたパスに対するＥＰマップがアクセスされる。そして、再生しているときにユーザーがパスを変更すると、再生されているパスのＥＰマップと時間的に整列された新しいパスのＥＰマップを用いてスムーズなパス変更が行われる。
【００４２】
ソース・デパケッタイザ４は再生されたソースパケットの入力を受けてＭＰＥＧ−２伝送パケットストリームのようなデータストリームに変換する。デマルチプレクサ５はデータストリームをエンコーディングされたビデオオーディオデータに逆多重化する。Ａ／Ｖデコーダ６はエンコーディングされたビデオオーディオデータをデコーディングして元のビデオオーディオデータにする。再生する期間、ソース・デパケッタイザ４、デマルチプレクサ５、Ａ／Ｖデコーダ６の動作はコントローラ１０により制御される。コントローラ１０がユーザーから再生命令を受信すると、ソース・デパケッタイザ４、デマルチプレクサ５、Ａ／Ｖデコーダ６に制御情報を送る。例えば、コントローラ１０は、ソース・デパケッタイザ４にソースパケットのフォーマットを指示し、マルチプレクサ５に逆多重化する伝送ストリームを指示し、Ａ／Ｖデコーダ６に実行するデコーディング類型を指示する。
【００４３】
図７には記録と再生装置に関して示しているが、図７の構成要素一部だけで記録動作または再生作動だけ提供する専用記録装置または専用再生装置も可能である。
【００４４】
図８は、図２のデータ構造で使われるクリップファイル、ディスクデータ、ＥＰマップに対する二番目の実施形態を示したものである。前で説明したように、ＢＤ−ＲＯＭのような記録媒体の物理的データ記録領域に記録される多重パスデータストリームは複数のクリップファイルとして管理される。例えば、図８のクリップファイル１ないし３は一つのタイトルに該当し、クリップファイルに記録されるＡ／ＶストリームはＭＰＥＧ−２フォーマットの伝送パケットＴＰの形態を有する。
【００４５】
パス１に該当するクリップファイル１のＴＰ（ＴＰ１）には「Ｖｉｄｅｏ_ＰＩＤ＝Ａ」と「Ａｕｄｉｏ_ＰＩＤ＝Ｐ」情報が含まれ、パス２に該当するクリップファイル２のＴＰ（ＴＰ２）には「Ｖｉｄｅｏ_ＰＩＤ＝Ｂ」と「Ａｕｄｉｏ_ＰＩＤ＝Ｒ」情報が含まれ、同様にパス３に該当するクリップファイル３のＴＰ（ＴＰ３）には「Ｖｉｄｅｏ_ＰＩＤ＝Ｃ」と「Ａｕｄｉｏ_ＰＩＤ＝Ｓ」情報が含まれる。パス１、２、３にそれぞれ該当するクリップファイル１、２、３のＴＰは、例えば、ＢＤ−ＲＯＭのような記録媒体の物理的データ記録領域内にあるＡ／Ｖストリーム領域にインタリーブ状態で記録される。前で説明したように、一実施形態での異なるパスは異なるカメラアングルである。
【００４６】
多重再生パスに対するＴＰはインタリーブされてインタリーブブロックになるが、各インタリーブブロックは少なくとも一つのＩ−Ｐｉｃｔｕｒｅを含む。そして、各インタリーブブロックの一番目の伝送パケットＴＰはＩ−Ｐｉｃｔｕｒｅが始まる伝送パケットＴＰである。
【００４７】
図８のように、ＢＤ−ＲＯＭの物理的データ記録領域に一つのタイトルとして記録された単一パスと多重パスＡ／Ｖストリームの再生制御のためのパス管理情報はクリップファイルに対応するクリップ情報ファイルに記録される。
【００４８】
例えば、パス管理情報はクリップファイル１、２、３に対応するクリップ情報ファイルにパスシーケンス情報として記録されて管理される。パスシーケンス情報には、記録セグメント、例えば記録セグメント１、２、３に対応するパスシーケンス番号（Ｐａｔｈ_Ｓｅｑｕｅｎｃｅ_Ｎｕｍｂｅｒｓ）とビデオ／オーディオＰＩＤが含まれる。
【００４９】
さらに詳細に見ると、一番目の記録セグメントに該当するＰａｔｈ_Ｓｅｑｕｅｎｃｅ＃１には、その記録セグメントに一番目の再生パスに対するビデオデータだけを含むということを指す「Ｖｉｄｅｏ_ＰＩＤ＝Ａ」と「Ａｕｄｉｏ_ＰＩＤ＝Ｐ」情報が含まれ、二番目の記録セグメントに該当するＰａｔｈ_Ｓｅｑｕｅｎｃｅ＃２には、この記録セグメントに一番目、二番目、三番目の再生パスに対するビデオデータを含むということを指す「Ｖｉｄｅｏ_ＰＩＤ＝Ａ、Ｂ、Ｃ」と「Ａｕｄｉｏ_ＰＩＤ＝Ｐ、Ｒ、Ｓ」情報が含まれ、三番目の記録セグメントに該当するＰａｔｈ_Ｓｅｑｕｅｎｃｅ＃３には、この記録セグメントのビデオデータが一番目の再生パスに対するビデオデータだけを含むということを指す「Ｖｉｄｅｏ_ＰＩＤ＝Ａ」と「Ａｕｄｉｏ_ＰＩＤ＝Ｐ」情報が含まれる。
【００５０】
各パスシーケンスにはパスシーケンスにある各再生パスに対するソースパケット番号ＳＰＮが含まれる。再生パスに対するＳＰＮは再生シーケンスにある再生パスに対する一番目のソースパケットである。
【００５１】
パスシーケンスはパスシーケンスに含まれる再生パスを一つまたはそれ以上有するビデオデータセグメントに対応している。パスシーケンスの個数は３個に限られない。
【００５２】
図８では、パスシーケンス情報だけでなく、記録セグメント１ないし３に記録される各再生パスのＴＰに選択的にアクセスするための同一のサーチ情報を提供する、クリップファイル１、２、３に対するクリップ情報ファイルを示している。例えば、同じＥＰマップがクリップ情報ファイルにより提供される。クリップ情報ファイルに記録されるＥＰマップ情報が一つのＥＰマップで管理される時、他の再生パスのＴＰのＰＴＳとＳＰＮは他のパスのＴＰが記録される順序と同じ順序でインタリーブされてＥＰマップに記録される。
【００５３】
代りに、図４Ａと図４Ｂに示したように、ＥＰマップと再生パス間には一対一の対応関係を持たせても良い。図８の場合に、パス１、２、３のＴＰの集合にそれぞれ対応する３個のＥＰマップＥＰ_ｍａｐ１、２、３がクリップ情報ファイルに生成され記録される。
【００５４】
クリップファイル１、２、３にそれぞれ該当するクリップ情報ファイル１、２、３には各再生パスのＴＰに選択的にアクセスするためのサーチ情報が含まれる。例えば、図４Ａに示したように、各クリップ情報ファイルには一つまたはそれ以上のエントリーポイントマップ（ＥＰマップ）が含まれるが、ＥＰマップは、連係するクリップファイルにあるＴＰのソースパケット番号（ＳＰＮ）を連結するプレゼンテーションタイムスタンプ（ＰＴＳ）を含む。一実施形態において、多重再生パスデータストリームに含まれるパスの数とＥＰマップとの間に一対一の関係がある。図４Ａの実施形態において、クリップファイル１、２、３にそれぞれ該当するＥＰマップ１、２、３が対応するクリップ情報ファイル１、２、３に生成されて記録される。
【００５５】
図７の記録及び再生装置は、図８の実施形態に対しても、図４Ａと図４Ｂで説明したのと同様に作動する。しかし、他の再生方法も可能であって、本発明はそれに限られない。例えば、クリップ情報ファイル内のパスシーケンス情報形態のパス管理情報は、多重再生パスビデオデータの再生を管理するために読み出され、使用される。その際、コントローラ１０は各パスシーケンスのＰＩＤを調査して再生パスの個数を確認して、ユーザーが再生パスを選択できるようにする。もしも一つのＥＰマップが提供されると、コントローラ１０は、選択された再生パスに適切なクリップファイルを再生するために、選択されたパスのＥＰマップとＰＩＤを用いる。もしも各再生パスに対するＥＰマップが提供されると、選択された再生パスに対するクリップファイルを再生するために、選択された再生パスに該当するＥＰマップが使用される。再生している間に、ユーザーがパスを変更する場合、再生されているパスのＥＰマップと時間的に整列された新しいパスのＥＰマップを用いてスムースにパス変更が行われる。
【００５６】
図９は、本発明による記録媒体のファイルまたはデータ構造に対する他の実施形態を示したものである。示したようにこの実施形態において、ＤＶＰディレクトリには一つのＴＩＴＬＥディレクトリがある。ＴＩＴＬＥディレクトリには記録媒体に記録されるビデオデータの各タイトルに対する一般情報ファイル（＊．ｔｔｌ）が含まれる。例えば、監督のカットタイトルと映画館用タイトルが記録媒体に提供され、一般情報ファイル（ｉｎｆｏ．ｔｔｌ）が各タイトルに対して提供される。一般情報ファイル（＊．ｔｔｌ）は、以後に詳細に説明される追加的な情報フィールドを除いては、図２で説明した一般情報ファイル（ｉｎｆｏ．ｄｖｐ）と同じである。図９に示したように、ＤＶＰディレクトリには一つのＰＬＡＹＬＩＳＴディレクトリ、ＣＬＩＰＩＮＦディレクトリ、ＳＴＲＥＡＭディレクトリがある。図２でのように、図９は記録媒体の領域をも示している。図１０はこのような領域を含む記録媒体の実施形態を示したものである。図１０は、以後詳細に説明されるナビゲーション制御情報が格納されるナビゲーション領域が含まれる一般情報ファイルと再生リスト情報領域を除いては、前で叙述した図３と同じである。図１０には一つのナビゲーション領域があるが、二つ以上のナビゲーション領域を設けてもよい。
【００５７】
図１１は、本発明の実施形態による、タイトルのための一般情報ファイル（ｉｎｆｏ．ｔｔｌ）の一部を詳細に示したものである。一般情報ファイルには再生リストシーケンサ（ＰｌａｙＬｉｓｔ_Ｓｅｑｕｅｎｃｅｒ）というナビゲーション制御情報またはオブジェクトが含まれる。再生リストシーケンサには情報フィールドの長さ、再生リストシーケンサの類型、再生リストの個数が記録される。類型フィールドには再生リストシーケンサの属性が提供される。例えば、類型フィールドにあるフラッグは再生リストシーケンサがコマンドまたはユーザーの操作によりレジュ−ム（Ｒｅｓｕｍａｂｌｅ）が可能であるか否かを指す。他の実施形態で、前記類型フィールドのフラッグは前記再生リストシーケンサがタイトルサーチオペレーション中にアクセスすることができるか否かを指す。数多い属性を類型フィールドに指定することができる。
【００５８】
各再生リストの再生リストシーケンサ（ＰｌａｙＬｉｓｔ_Ｓｅｑｕｅｎｃｅｒ）には、再生用の再生リストのファイル名（ＰｌａｙＬｉｓｔ_ｆｉｌｅ_ｎａｍｅ）、パス番号（Ｐａｔｈ_ｎｕｍｂｅｒ）、再生リストの特性が含まれる。再生リストファイル名はナビゲーション方向を提供し、パス番号は、連係する再生リストが属するパスを指定することによってパスまたはナビゲーション管理情報を提供する。特性は再生リストに対する特定機能を示すことができる。
【００５９】
図１２ないし１４は、図１１のデータ構造を用いてナビゲーション制御を構成する他の方法を絵として表現したものである。前で説明したように、ＢＤ−ＲＯＭのような記録媒体のＡ／Ｖストリーム領域に記録される多重パスデータストリームは複数のクリップファイルで管理される。複数のクリップファイルは複数の再生リストファイルと連係されるが、その複数の再生リストファイルは一つのタイトルファイルに対応する再生リストシーケンサにより異なるパスに割り当てられる。
【００６０】
図１２に示したように、パスｍとｎ（Ｐａｔｈ＃ｍ、Ｐａｔｈ＃ｎ）に対する一つの共通パス（Ｐａｔｈ＃ｍ／ｎ）に割り当てられたクリップファイル１と２（Ｃｌｉｐ＃１、Ｃｌｉｐ＃２）は再生リスト１（ＰｌａｙＬｉｓｔ＃１）に連係され、パスｍ（Ｐａｔｈ＃ｍ）に割り当てられたクリップファイル３（Ｃｌｉｐ＃３）は再生リスト２（ＰｌａｙＬｉｓｔ＃２）に連係し、パスｎ（Ｐａｔｈ＃ｎ）に割り当てられたクリップファイル４（Ｃｌｉｐ＃４）は再生リスト３（ＰｌａｙＬｉｓｔ＃３）に連係され、一つの共通パス（Ｐａｔｈ＃ｍ／ｎ）に割り当てられたクリップファイル５（Ｃｌｉｐ＃５）は再生リスト４（ＰｌａｙＬｉｓｔ＃４）に連係される。
【００６１】
５個のクリップファイルに連係する再生リストは、パスシーケンサにより指定されるパス番号情報（Ｐａｔｈ_ｎｕｍｂｅｒ）を基にして、特定パスｍまたはｎを再生するために選択される。再生リストシーケンサは一つのタイトルファイルに対応するナビゲーション制御情報を提供する。多重パス区間において、パスがｍである場合再生リスト２（ＰｌａｙＬｉｓｔ＃２）が選択され、パスがｎである場合再生リスト３（ＰｌａｙＬｉｓｔ＃３）が選択される。
【００６２】
言い換えると、もし、パスｍ（Ｐａｔｈ＃ｍ）が選択されると、再生リストシーケンサにより再生リスト１、２、４が選択されて、クリップファイル１、２、３、５が連続的に再生される。もしもパスｎ（Ｐａｔｈ＃ｎ）が選択されると、再生リストシーケンサにより再生リスト１、３、４が選択されて、クリップファイル１、２、４、５が連続的に再生される。
【００６３】
ビデオデータの多重パス区間、すなわちクリップファイル３と４のＡ／Ｖストリームは、分離されて記録される代わり、相互にインタリーブされた状態で記録されてもよい。
【００６４】
図１３に示したように、再生リストシーケンサは、ユーザーによりクリップの再生順序が編集された仮想再生リストを参照できる。前で説明したように、ＢＤ−ＲＯＭのような記録媒体のＡ／Ｖストリーム領域に記録される多重パスデータストリームを複数のクリップファイルとして管理してもよい。複数のクリップファイルは複数の実及び／または仮想再生リストファイルと連係されるが、複数の実及び／または仮想再生リストファイルは一つのタイトルファイルに対応する再生リストシーケンサにより異なるパスに割り当てられる。
【００６５】
図１３に示したように、クリップファイル１、２、６は一つの共通パス（Ｐａｔｈ＃ｍ／ｎ／ｐ）に割り当てられ、クリップファイル３はパスｍ（Ｐａｔｈ＃ｍ）に割り当てられ、クリップファイル４はパスｎ（Ｐａｔｈ＃ｎ）に割り当てられ、クリップファイル５はパスｐ（Ｐａｔｈ＃ｐ）に割り当てられる。また、クリップファイル１ないし６はユーザーの編集により作られた３個の仮想再生リストにそれぞれ連係される。
【００６６】
６個のクリップファイルに連係する仮想再生リストは特定のパスｍ、ｎ、またはｐを再生するために再生リストシーケンサにより選択されるが、再生リストシーケンサは一つのタイトルファイルに対応するナビゲーション制御情報（例えば、ナビゲーション方向）を提供する。すなわち、再生リストシーケンサは再生する再生リストの方向を提供する。
【００６７】
もし、パスｍ（Ｐａｔｈ＃ｍ）が選択されると、再生リストシーケンサにより選択された仮想再生リスト１から得たパス情報（Ｐａｔｈ_ｎｕｍｂｅｒ）を基にして、クリップファイル１、２、３、６が連続的に再生される。もし、パスｎ（Ｐａｔｈ＃ｎ）が選択されると、再生リストシーケンサによる仮想再生リスト２の選択を介して、クリップファイル１、２、４、６が連続的に再生され、また、もし、パスｐ（Ｐａｔｈ＃ｐ）が選択されると、再生リストシーケンサによる仮想再生リスト３の選択を介して、クリップファイル１、２、５、６が連続的に再生される。
【００６８】
言い換えると、ビデオデータの多重パス区間において、仮想再生リスト１が選択されるとパスｍと関連するクリップファイル３が再生され、仮想再生リスト２が選択されるとパスｎと関連するクリップファイル４が再生され、仮想再生リスト３が選択されるとパスｐと関連するクリップファイル５が再生される。
【００６９】
したがって、上の実施形態では仮想再生リストの選択は多重再生データストリームのうちから特定のパスを選択するものである。しかし、この実施形態は実再生リストを利用して実施することもできて、実再生リストと仮想再生リストを組み合わせて実施することもできる。
【００７０】
この実施形態において、多重パス区間、すなわちクリップファイル３、４、５のＡ／Ｖストリームは、分離されて記録されているが、相互にインタリーブされた状態で記録されてもよい。
【００７１】
一般情報ファイルは、図１１に示したように、一つの再生リストシーケンサを含む。図１４の例では、それぞれ他のパスｍ、ｎ、ｐに属する再生リスト２、３、４が一つの再生リストシーケンサに含まれる。または、一般情報ファイルは各タイトルに対する再生リストシーケンサを含むこともできる。図１５にはこの実施形態による再生リストシーケンサを示しているが、その再生リストシーケンサにはタイトルの各再生パスが提供されている。
【００７２】
図１５では再生リストシーケンサ（ＰｌａｙＬｉｓｔ_Ｓｅｑｕｅｎｃｅｒ）と呼ばれるナビゲーション制御情報フィールドを一つまたはそれ以上含む一般情報ファイル（ｉｎｆｏ．ｔｔｌ）の一部を図示している。各再生リストシーケンサには、情報フィールドの長さ、再生リストシーケンサの類型、再生リストシーケンサのパス番号（Ｐａｔｈ＿ｎｕｍｂｅｒ）、再生リストの個数が記録される。類型フィールドには再生リストシーケンサに対する属性が提供される。例えば、類型フィールドにあるフラッグは、再生リストシーケンサがコマンドまたはユーザーの操作によりレジュ−ムが可能であるか否かを示す。他の実施形態で、類型フィールドのフラッグは再生リストシーケンサがタイトルのサーチオペレーション中にアクセスすることができるかを否かを示す。多数の属性を類型フィールドに指定することができる。
【００７３】
各再生リストに対して、再生リストシーケンサ（ＰｌａｙＬｉｓｔ_Ｓｅｑｕｅｎｃｅｒ）は、再生する再生リストを識別する再生リストのファイル名（ＰｌａｙＬｉｓｔ_ｆｉｌｅ_ｎａｍｅ）と再生リストの特性を含む。パス番号は、再生リストシーケンサがナビゲーション制御情報を提供するパスを指示することによって、パスまたはナビゲーション管理情報を提供する。特性は再生リストに対する特定機能を指示することができる。
【００７４】
図１６は、図１５のデータ構造を用いてナビゲーション制御を構成する方法を絵として表現したのである。図１６の例には３個の再生リストシーケンサがある。再生リストシーケンサ１（ＰｌａｙＬｉｓｔＳｅｑｕｅｎｃｅｒ＃１）には、パスｍ、ｎ、ｐに共通で関連する再生リスト１、パスｍに関連する再生リスト２、パスｍ、ｎ、ｐに共通で関連する再生リスト５が含まれる。再生リストシーケンサ２（ＰｌａｙＬｉｓｔＳｅｑｕｅｎｃｅｒ＃２）には、再生リスト１、パスｎに関連する再生リスト３、再生リスト５が含まれ、再生リストシーケンサ３（ＰｌａｙＬｉｓｔＳｅｑｕｅｎｃｅｒ＃３）には、再生リスト１、パスｐに関連する再生リスト４、そして再生リスト５が含まれる。
【００７５】
図７の記録及び再生装置は、図９ないし図１６で説明したデータ構造を有する記録媒体の実施形態に対して記録、再生するのに適用できる。図７の記録及び再生装置は、ＢＤ−ＲＯＭのような記録媒体に図９ないし図１６のデータ構造を記録する時、図４Ａと図４Ｂで説明したことと同様に作動する。また、図７の記録及び再生装置による再生も、再生リストシーケンサまたはシーケンサが再生され、それによってビデオデータの再生を制御するためにナビゲーション管理情報が使われることを除いては、実質的に同じである。
【００７６】
例えば、一つの実施形態において、コントローラ１０が、再生リストシーケンサの再生リストに対して提供されたパスの番号を調査することによって、再生パスの個数を確認して、ユーザーが再生パスを選択できるようにする。パス管理情報には再生する再生パスに関する意味ある情報が含まれて、ユーザーが容易にパスを選択できるようにすることができる。コントローラ１０は選択されたパスと連係する、再生リストシーケンサが指示する再生リストを再生する。すなわち、選択されたパスと連係する再生リストシーケンサにある再生リストを再生する。
【００７７】
他の実施形態で、コントローラ１０は、記録媒体に記録された一般情報ファイル（ｉｎｆｏ．ｔｔｌ）の個数を調査することによって、記録媒体に記録されるタイトルの個数を確認して、ユーザーが再生するタイトルを選択できるようにする。各タイトルに対する一般情報ファイルには連係するタイトルに関する情報が含まれており、コントローラ１０は、ユーザーがタイトルを容易に選択できるように、タイトルに関する情報を提供することができる。コントローラ１０は、記録媒体に記録されるビデオデータを再生するために、選択されたタイトルと連係する再生リストシーケンサを利用する。ここで、選択されたタイトルに対する再生リストシーケンサは、再生する再生リストを指示することによって、選択されたタイトルのビデオデータに関するナビゲーション方向を提供する。
【００７８】
図１１ないし図１６で説明される実施形態を図９のデータ構造に適用することができる。しかし、このような実施形態は図２のデータ構造にも適用できる。
【００７９】
したがって、前記のように構成される本発明は、多重再生パスをベースにしてビデオデータのナビゲーション再生を管理及び／または制御できるようにすることによって、ユーザーの嗜好や便宜に合せてビデオデータを再生できる柔軟性を提供する。
【００８０】
以上、前述した本発明の望ましい実施形態は例示の目的のために開示されたものであって、ＢＤ−ＲＯＭ以外の他の光ディスクにも拡大して適用可能であり、また当業者ならば以下添付された特許請求範囲に開示された本発明の技術的思想とその技術的範囲内において、多様な他の実施形態を改良、変更、代替または付加などが可能である。
【図面の簡単な説明】
【００８１】
【図１】再起録可能ブルーレイディスク（ＢＤ−ＲＥ）の規格による再起録可能光ディスクのファイルまたはデータ構造を示したものである。
【図２】本発明による記録媒体のファイルまたはデータ構造に対する実施形態を示したものである。
【図３】図２のデータ構造を有する記録媒体に対する実施形態を示したものである。
【図４Ａ】図２のデータ構造で使われるクリップファイル、ディスクデータ、及びＥＰマップに対する一番目の実施形態を示したものである。
【図４Ｂ】異なるクリップファイルに対するＥＰマップ間に存在する時間整列を示したものである。
【図５】図２のデータ構造で使われる再生パス管理情報に対するデータ構造に対する二番目と三番目の実施形態を示したものである。
【図６】図２のデータ構造で使われる再生パス管理情報に対するデータ構造に対する二番目と三番目の実施形態を示したものである。
【図７】本発明による光ディスク記録及び再生装置の構成を示したものである。
【図８】図２のデータ構造で使われるクリップファイル、ディスクデータ、及びＥＰマップに対する二番目の実施形態を示したものである。
【図９】本発明による記録媒体のファイルまたはデータ構造に対する他の実施形態を示したものである。
【図１０】図９のデータ構造を有する記録媒体の実施形態を示したものである。
【図１１】図９のデータ構造と共に使われるナビゲーション制御に対するデータ構造の実施形態を示したものである。
【図１２】図１１のデータ構造を用いてナビゲーション制御を構成する他の方法を絵として表現したのである。
【図１３】図１１のデータ構造を用いてナビゲーション制御を構成する他の方法を絵として表現したのである。
【図１４】図１１のデータ構造を用いてナビゲーション制御を構成する他の方法を絵として表現したのである。
【図１５】図９のデータ構造と共に使われるナビゲーション制御のデータ構造に対する他の実施形態を示したものである。
【図１６】図１５のデータ構造を用いてナビゲーション制御を構成する方法を絵として表現したのである。
【図１】
2005531190.tif 000003
【図２】
2005531190.tif 000004
【図３】
2005531190.tif 000005
【図４Ａ】
2005531190.tif 000006
【図４Ｂ】
2005531190.tif 000007
【図５】
2005531190.tif 000008
【図６】
2005531190.tif 000009
【図７】
2005531190.tif 000010
【図８】
2005531190.tif 000011
【図９】
2005531190.tif 000012
【図１０】
2005531190.tif 000013
【図１１】
2005531190.tif 000014
【図１２】
2005531190.tif 000015
【図１３】
2005531190.tif 000016
【図１４】
2005531190.tif 000017
【図１５】
2005531190.tif 000018
【図１６】
2005531190.tif 000019
【国際調査報告】
2005531190.tif 000020
2005531190.tif 000021